(57)【要約】【課題】  従来のコンテナハウスは、狭く圧迫感があり、見た目も悪く夏暑くて、冬寒いという問題があった。これはコンテナの特徴で、移動性がよく丈夫なため、穴開けや、切断が容易にできないため、あまり手を加えず使う方が、安易なためである。【解決手段】ＧＬより高く造った、コンクリートの基礎の上に、コンテナを配置し、ブリッチを架け、補強をいれ、溶接でつなぎ、コンテナの不要になった壁と、床を切断・穴開けをして、圧迫感のない高い屋根と、広い室内空間を確保し、その室内空間の広くなったコンテナ内部に断熱材を入れ、天井・内壁・床を張り、その外側を防水シート、又は、防水材で覆い、断熱材を入れ、新たに鋼材で鉄骨の土台を造り屋根を乗せ、コンテナの外壁に角材（鋼材や木材）などを、溶接や釘で直接取り付けて、その上に外壁材を貼りつけて、コンテナの内側と、外側（屋根と壁）が二重構造・二重断熱の構造体、プレハブ・コンテナハウス。【選択図】図１
2012177269.tif 000002
【特許請求の範囲】
【請求項１】
ＧＬ（地面）より高く造った基礎又は、（  ＰＣ・コンクリート・ブロック基礎や、建築物・鋼材・支柱・耐震硬化ゴム）などの上に配置し、固定したことを特徴とする構造体ＰＣ・コンテナハウス。
【請求項２】
溶接や、ボルト・ナットなどでつないだ、複数の前記コンテナ又は、単一の前記コンテナの不要になった、壁や、床を、切断・穴あけをし、建具（窓や、ドア）などを取り付けた、請求項１に記載の構造体ＰＣ・コンテナハウス。
【請求項３】
前記コンテナを、複数個並べて配置し、溶接又は、ボルト・ナットなどで固定し、補強をいれ、又は、（補強は、いれなくてもよい。）ブリッジを架けたことを、特徴とする、請求項１ないし、請求項２の、いずれか1項記載の構造体コンクリート・コンテナハウス。
【請求項４】
前記コンテナの屋根に、新たに屋根材を乗せて、専用の金具や、釘、又は、ビスもしくは、ボルト・ナットなどで、取り付けて止め、そのコンテナの外壁に、新たに外壁材モエンサイディング又は、金属サイディングや、ＡＬＣ(軽量コンクリート外壁材)などを、専用の金具又は、釘や、ビスなどで、貼り付けることを、特徴とする請求項１ないし、請求項３のいずれか１項記載の構造体ＰＣ・コンテナハウス。
【請求項５】
前記コンテナの内部に、住宅設備を設置し、断熱材を入れ、天井、内壁、床を張り、外側を防水シート又は、防水材で覆ったことを特徴とする、請求項１ないし、請求項４のいずれか１項記載の構造体ＰＣ・コンテナハウス。
【請求項６】
前記コンテナの屋根に、新たに屋根を載せる土台の骨組みを、（鋼材又は、木材）で造って、溶接やボルト・ナットで固定して、屋根材を乗せて、専用の金具や、釘、又は、ビスもしくは、ボルト・ナットなどで、取り付けて止め、そのコンテナの外壁に、鋼材や、木材を、溶接又は、ボルト・ナットもしくは、釘や、ビスなどで直接取り付け、新たに外壁材モエンサイディング又は、金属サイディングや、ＡＬＣ(軽量コンクリート外壁材)などを、専用の金具又は、釘や、ビスなどで、貼り付け、コンテナの屋根と、壁が、二重構造を特徴とする、請求項１ないし、請求項５のいずれか１項記載の構造体ＰＣ・コンテナハウス。
【請求項７】
前記コンテナの屋根と壁を境に、内側と外側に鋼材や木材などで、断熱材を入れる空間を造り、断熱材を入れて、屋根と壁が二重断熱を特徴とする請求項１ないし、請求項６のいずれか1項記載の構造体ＰＣ・コンテナハウス。
【請求項８】
前記コンテナの壁にＰＣ・コンクリート壁を、溶接やボルト・ナットで直接取り付けて、前記コンテナの屋根にＰＣ・コンクリート屋根又は、屋根材（ルーフデッキなど）をのせ、溶接や、ボルト・ナットなどで止めて固定し、一体化することを特徴とする、請求項１ないし、請求項３又は、請求項５のいずれか1項記載の構造体ＰＣ・コンテナハウス。
【請求項９】
前記コンテナの壁と、屋根に溶接又は、ボルト・ナットなどで取り付け固定した、ＰＣ・コンクリート壁と、ＰＣ・コンクリート壁の、接続部と、ＰＣ・コンクリート屋根と、ＰＣ・コンクリート屋根又は、屋根材（ルーフデッキなど）の、接続部をコンクリート又は、（シリコン・ゴム・プラスチック・鉄板）などで覆い、一体化したことを特徴とする、請求項１ないし、請求項3又は、請求項８もしくは、請求項５のいずれか1項記載の構造体ＰＣ・コンテナハウス
【発明の詳細な説明】
【技術分野】
【０００１】
本発明は、低コスト・リサイクルを図った建築物ＰＣ・コンテナハウスに関する。
【背景技術】
【０００２】
従来のコンテナハウスでは、既存のコンテナを穴開けや、切断など余り手を加えず、そのままの形で使うことが大半である。（例えば、特許文献P２００９−１５０１１０A参照。）
【先行技術文献】
【特許文献】
【０００３】
【特許文献１】特開平２００９−１５０１１０号  公報
【発明の概要】
【発明が解決しようとする課題】
【０００４】
以上に述べた従来のコンテナハウスでは、見た目が悪く、室内空間の利用が不便で、天井高もとれずに圧迫感があり、夏暑く、冬寒いと言う欠点があった。
【課題を解決するための手段】
【０００５】
本発明は、上記目的を達成するためにＧＬ（地面）より高く造った、基礎又は、（  ＰＣ・コンクリート・ブロック基礎や、建築物・鋼材・支柱・耐震硬化ゴム）などの上に、複数又は、単一のコンテナを配置し、溶接でつなぎ、ブリッジを架け、補強を入れ、不要になったコンテナの床や、壁を切断・穴開けをして、室内空間を広げ、天井高も確保することができる。
【０００６】
本発明は、その室内空間が広くなった、コンテナの内側に断熱材を入れ内壁・天井・床をはり、夏の暑さや、冬の寒さを、防ぐことができる。
【０００７】
本発明は、コンテナの外側を、防水シート、又は、防水材で覆い、鋼材で、新たに屋根を乗せる土台の骨組みを造って溶接や、ボルト・ナットで固定し、断熱材を入れ、新しく屋根になる屋根材（ルーフデッキ）などを乗せ、専用の金具で取り付けてから、コンテナの外壁に溶接や釘で、角材（鋼材や木材）を、直接取り付けて、断熱材を入れる空間を確保し断熱材を入れ、その上から外壁材モエンサイディング又は、金属サイディングや、ＡＬＣ(軽量コンクリート外壁材)を貼り付けて、屋根・壁を、二重構造・二重断熱の見た目もよく強固で、夏涼しく冬暖かい実用的な、建築物にするものである。
【０００８】
又、本発明では、前記コンテナの壁にＰＣ・コンクリート壁を、溶接やボルト・ナットで直接取り付けて、前記コンテナの屋根にＰＣ・コンクリート屋根、又は、屋根材（ルーフデッキなど）をのせ、溶接や、ボルト・ナットなどでとめて固定し、ＰＣ・コンクリート壁と、ＰＣ・コンクリート壁の、接続部又は、ＰＣ・コンクリート屋根と、ＰＣ・コンクリート屋根又は、屋根材（ルーフデッキ）の、接続部をコンクリート又は、（シリコン・ゴム・プラスチック・鉄板）などで覆い、一体化した建築物、見た目もよく強固な建築物にするものである。
【発明の効果】
【０００９】
本発明のＰＣ・コンテナハウスは、ＧＬ（地面）より高く造った基礎、又は、（  ＰＣ・コンクリー・ブロック基礎や、建築物・鋼材・支柱・耐震硬化ゴム）などの上に、前記コンテナを配置し、固定することで、コンテナの屋根が高くなり、そのコンテナの不要になった床や、壁を取り除くことで、圧迫感がなく室内空間も広がり、室内空間の広くなったコンテナの壁と、屋根を境に、内側と、外側に、断熱材を入れ二重断熱にすることで、夏涼しく、冬暖かい実用的な建築物を提供することができる。    
【００１０】
本発明は、前記コンテナの外側を、防水シート又は、防水材で覆い、前記コンテナの屋根に鋼材で、新たに屋根を載せる土台の骨組みを造り、その上に屋根材を乗せて専用の金具で取り付け、前記コンテナの外壁に角材（鋼材又は、木材）を溶接や釘で直接付けて、その上から外壁材モエンサイディング又は、金属サイディングや、ＡＬＣ(軽量コンクリート外壁材)を貼り付けて、二重構造にして、雨漏れのない、見た目も綺麗な、実用性にすぐれた建築物を提供できる。
【００１１】
本発明は、コンテナが、ＰＣ建築の鉄の骨組みの変わりになるので、工期が短縮できる。又、コンクリート建築物や、鋼構造建築物の上にもクレーンなどを使って、容易に配置して固定できるので、更に、工期を短縮することができる。
【００１２】
本発明は、コンテナの配置や、補強の入れ方、ブリッジの架け方次第で、大規模建築や、高層建築も可能である。
【００１３】
本発明は、建築物の規模・用途・要望によっては、断熱材を内側か、外側の、どちらか、片側だけに入れ、コストを削減することもできる。又、防水材や、防水シートも省いても良い。
【図面の簡単な説明】
【００１４】
【図１】本発明のプレハブ・コンテナハウス立体図（イメージ図）
【図２】本発明のプレハブ・コンテナハウス平面図
【図３】本発明のプレハブ・コンテナハウスＡ−Ａ線断面図
【発明を実施するための最良の形態】
【００１５】
以下、本発明の実施形態を図１〜図３に基づいて説明する。
【００１６】
図においては、１はＧＬより高く作ったコンクリート基礎で、３は１のコンクリート基礎の上に配置し、基礎に埋め込んだアンカーボルト・ナットで、締め付けて固定し、溶接やボルト・ナットで繋ぎ合わせたコンテナである。そのコンテナの不要になった床や、壁を切断・穴あけをして、１１の建具を取り付けて、室内空間を広げた箇所が９である。そのコンテナ内部（コンクリート基礎）に、１４のツーバイフォーをケミカル・アンカー・ボルト・ナットで締め付けて止め、8の柄を立て固定し、１５の大引きを配置して、14のツーバイフォーに釘などで止め、8の柄で支えて固定して、その上に１６のネタを敷き、７の床を張り、コンテナ（鉄・金属性）の壁と屋根に、角材（木材・鋼材）を釘や、溶接で、直接取り付け、ふかし張りにして、４の断熱材を入れ５の天井、６の内壁、を張り、そのコンテナの外側を10の防水シート・防水材で覆い、その上に鋼材で、１２の屋根を載せる土台の骨組みを造って、４の断熱材を入れ、１３の屋根を載せて、専用の金具で取り付ける。その後で、コンテナの外壁に、角材（鋼材・木材）を、溶接や釘で、直接取り付けて、４の断熱材を入れ、2の外壁材モエンサイディング又は、金属サイディングや、ＡＬＣ(軽量コンクリート外壁材)を貼り付けて、屋根と壁を、二重構造・二重断熱のＰＣ・コンテナハウスの躯体とする。
【符号の説明】
【００１７】
１    コンクリート基礎
２    外壁材（モエンサイディング・金属サイディングなど）
３    コンテナ
４    断熱材
５    天井
６    壁
７    床
８    柄
９    切断箇所
１０  防水シート（防水材）
１１  建具
１２  屋根の土台（鉄骨）
１３  屋根
１４  ツーバイフォー
１５  大引き
１６  ネタ
【図１】
2012177269.tif 000003
【図２】
2012177269.tif 000004
【図３】
2012177269.tif 000005